(57)【特許請求の範囲】
【請求項１】
被掃除面と対向する下面に開口する吸込口を有したケース体と、
このケース体に回転自在に配設された回転清掃体と、
前記ケース体内に回転自在に設けられ吸込気流により前記回転清掃体を回転駆動させるエアタービンと、
前記被掃除面を検知して前記エアタービンへの吸込気流の風量を可変する床面検知手段とを具備し、
前記床面検知手段は、
前記ケース体の下面に開口して前記エアタービンへの吸込気流の風量を低減させるリーク口と、
付勢手段にて前記ケース体の下面から下方に付勢されて接地し回動により前記リーク口の開口状態を可変させて開閉可能に設けられ、被掃除面の種類に応じた接地状態の変化に対応して回動量が変化することで前記リーク口の開口状態を可変させて前記エアタービンへの吸込気流の風量を可変させる蓋体とを備えた
ことを特徴とする電気掃除機の吸込口体。
【発明の詳細な説明】
【０００１】
【発明の属する技術分野】
本発明は、回転清掃体を回転駆動させるエアタービンを設けた電気掃除機の吸込口体に関する。
【０００２】
【従来の技術】
従来、この種のエアタービンを設けた電気掃除機の吸込口体としては、例えば実公平１−２８７６１号公報に記載の構成が知られている。
【０００３】
この実公平１−２８７６１号公報に記載の電気掃除機の吸込口体は、ケース体の下面前側に吸込口を開口し、この吸込口に臨んで回転ブラシを回転自在に設けた回転ブラシ室と、この回転ブラシ室に連通し吸込口からの吸込気流により回転して回転ブラシを回転させるファンを収容したファン室とを形成し、ファン室の下底部に蓋体にて開閉されるリーク口を開口し、被掃除面に接地する接地体を蓋体の最下部に設けたものである。
【０００４】
そして、被掃除面にケース体の下面が対向する掃除時には、蓋体の接地体が被掃除面に当接してファン室に開口するリーク口が蓋体にて閉塞されて、吸込口からの吸込気流により回転ブラシ室を介してファン室内のファンが回転し、このファンの回転により回転ブラシが回転して被掃除面から塵埃を掻き出して掃除する。また、下面が被掃除面から離間した場合には、蓋体が自重により回動してリーク口が開口し、吸込口からの吸込量が低減してファンの回転数が低減する。
【０００５】
【発明が解決しようとする課題】
しかしながら、上記実公平１−２８７６１号公報に記載の従来の電気掃除機の吸込口体では、掃除の際には被掃除面の種類を問わず、同風量の吸込気流により同程度でファンが回転するため、例えば、被掃除面が絨毯などの場合には回転清掃体の回転数を高めて掻き出し効果を高める必要がある一方、板の間などの場合には回転清掃体の回転数を小さくしてファンや回転清掃体の回転による風切音や振動による騒音を低減する必要があるが、両者を満足するものではない。
【０００６】
本発明は、上記問題点に鑑みなされたもので、被掃除面に対応してエアタービンの回転を可変して効率よく掃除する電気掃除機の吸込口体を提供することを目的とする。
【０００７】
【課題を解決するための手段】
請求項１記載の電気掃除機の吸込口体は、被掃除面と対向する下面に開口する吸込口を有したケース体と、このケース体に回転自在に配設された回転清掃体と、前記ケース体内に回転自在に設けられ吸込気流により前記回転清掃体を回転駆動させるエアタービンと、前記被掃除面を検知して前記エアタービンへの吸込気流の風量を可変する床面検知手段とを具備し、前記床面検知手段は、前記ケース体の下面に開口して前記エアタービンへの吸込気流の風量を低減させるリーク口と、付勢手段にて前記ケース体の下面から下方に付勢されて接地し回動により前記リーク口の開口状態を可変させて開閉可能に設けられ、被掃除面の種類に応じた接地状態の変化に対応して回動量が変化することで前記リーク口の開口状態を可変させて前記エアタービンへの吸込気流の風量を可変させる蓋体とを備えたもので、ケース体の下面に開口しエアタービンへの吸込気流の風量を低減させるリーク口を、被掃除面の種類に応じた接地状態の変化に対応して蓋体の回動量が可変することにより被掃除面の種類に応じて開口状態を可変するため、床面検知手段にて簡単な構造で容易に被掃除面を検知してこの被掃除面に対応してエアタービンへの吸込気流の風量を可変し、この可変された吸込気流によりエアタービンの回転を可変して、被掃除面に対応して回転清掃体の回転を可変して回転駆動させるため、別途回転清掃体の回転数を可変する操作が不要で、被掃除面の種類を問わず回転数が可変された回転清掃体により効率よく掃除する。また、付勢手段にてケース体の下面から下方に向けて蓋体を付勢するため、ケース体の下面が被掃除面から所定距離離間すると、付勢手段にて蓋体を付勢してリーク口を開放状態に維持するので、例えばケース体を被掃除面から浮かしたような掃除を行っていない状態ではエアタービンを回転させる吸込気流の風量が大きく低減してエアタービンの回転が停止または大きく低減し回転清掃体の回転が停止または大きく低減する。
【０００８】
【発明の実施の形態】
以下、本発明の電気掃除機の吸込口体の実施の一形態を示す構成を図面を参照して説明する。
【０００９】
図１ないし図６において、11は進行方向に対して横長の吸込口本体で、この吸込口本体11は、アクリロニトリル−ブタジエン−スチレン樹脂などの合成樹脂製の下部本体ケース12と、この下部本体ケース12の上部に結合固定される同材質の上部本体ケース13とが、下部本体ケース12および上部本体ケース13の前面を含む周面に沿ってバンパ14を挟持して接合されて、矩形状のケース体15が形成されている。
【００１０】
そして、下部本体ケース12は、上面に略垂直にリブ部17が形成されて、進行方向側である前側に略左右方向に横長で下面に開口する凹溝状の第１の清掃体室18が区画形成され、後退方向側である後側に同様に略左右方向に横長で下面に開口する凹溝状の第２の清掃体室19が区画形成されている。また、下部本体ケース12には、リブ部17により、第１の清掃体室18および第２の清掃体室19の間の略中央から一端側に区画された第１の吸込室20と、第１の吸込室20より一端側に区画された装置室21と、略中央から他端側に区画された第１の駆動伝達室22と、後側略中央に区画され第１の吸込室26に連通する第２の吸込室23と、第１の駆動伝達室22より他端側に区画された第２の駆動伝達室24とが区画形成されている。
【００１１】
さらに、第１の清掃体室18の上部後側略中央に第１の吸込室20に連通する第１の吸込口26が開口形成され、第２の清掃体室19の上部後側略中央に第２の吸込室23に連通する第２の吸込口27が開口形成されている。なお、第１の吸込口26の開口面積は、第２の吸込口27の開口面積より大きく形成されている。
【００１２】
また、下部本体ケース12の下面には、両端部側に位置して第１の清掃体室18および第２の清掃体室19を連通させる連通路となる凹溝状の連通凹部28が設けられている。
【００１３】
なお、第２の駆動伝達室24の下面は下方に向けて開口し、この開口に閉塞板29が図示しない装着具にて着脱自在に装着されている。
【００１４】
一方、ケース体15の後部中央には、第２の吸込口27に対向して連通管31が回動軸32，32を下部本体ケース12および上部本体ケース13とにて軸支されて上下方向の所定角度に回動自在に取り付けられている。そして、第１の吸込室20および第２の吸込室23が連通管31に連通して吸込風路33を構成している。また、連通管31の後端部が吸込口本体11から後側外方へ突出し、この後端部には、屈曲した接続管34の前端部が回動自在に嵌合されている。この接続管34は、図示しない延長管を介してホースに着脱自在に接続され、さらに図示しない電気掃除機本体に接続される。
【００１５】
そして、第１の吸込口26の開口面積より小さい開口面積の第２の吸込口27は、連通管31からの距離が第１の吸込口26より近いため、第１の吸込口26からの吸込力と第２の吸込口27からの吸込力とは略同程度となっている。
【００１６】
一方、ケース体15の略中央には、内部に偏平型の駆動手段となるエアタービン36を回転自在に収容するタービン室37を区画する中ケース38が取付固定されている。そして、この中ケース38は、上部が径大で下部が径小の略漏斗状の下ケース39およびこの下ケース39の上部を閉塞する上ケース40とにて形成されている。
【００１７】
また、中ケース38には、外周面に一端が周方向に向けてラッパ状に拡開し他端がタービン室37に開口する周方向に沿った吸気供給風路42が形成され、この吸気供給風路42は次第に幅狭となり断面積が徐々に小さくなるようにスクロール状にタービン室37に連通形成されて、エアタービン36に渦巻き状に吸込気流を供給するようになっている。なお、タービン室37に至る吸気供給風路42の一部の上面、すなわちケース体15の前側に位置する部分の吸気供給風路42の上面は、上部本体ケース13にて構成する。そして、この吸気供給風路42のラッパ状に開口する一端は、上部本体ケース13の後部の略垂直面となる後面およびこの後面に連続する後部上面の２面に亘って形成された吸気口43に対向して連通されている。なお、この吸気口43は、小径の穴が複数穿設されて形成され、連通管31の一側に位置して開口形成されている。
【００１８】
さらに、中ケース38の第１の吸込室20および第２の吸込室23に対向する面には連通孔44が開口形成され、吸気口43から吸気供給風路42、タービン室37、連通孔44を介して第２の吸込室23に連通する吸気風路45が形成される。また、連通孔44が第２の吸込室23に対向して開口するため、タービン室37から連通管31に至る吸気風路45、すなわちエアタービン36の下流側に位置して吸込風路33を介して第１の吸込口26が連通開口するとともに、第２の吸込口27が直接開口する。
【００１９】
そして、中ケース38の上ケース41の下面略中央には軸受である第１のベアリング47を取り付けるベアリング取付リブ48が設けられ、中ケース38の下ケース39の上面略中央には第１のベアリング47と同軸上に軸受である第２のベアリング49を取り付けるベアリング取付リブ50が設けられている。
【００２０】
また、エアタービン36は、図７ないし図９に示すように、棒状の軸体52を嵌挿する略円筒状の軸支部53の周面に一端側に向けて拡開する整流板54が設けられ、この整流板54の周縁近傍の他端側の面に略放射状に複数の彎曲する風受板55，55が壁状に突出形成されている。さらに、軸体52の風受板55，55が設けられた側の端部にエアタービンプーリ56が一体的に設けられている。
【００２１】
そして、エアタービン36は、エアタービンプーリ56が第１の駆動伝達室22に臨んで中ケース38の下端より突出されて、軸体52の両端部が第１のベアリング47および第２のベアリング49に軸方向を略上下方向に軸支され、タービン室37内に回転自在に軸支されている。また、中ケース38は、第２のベアリング49が第１の清掃体室18および第２の清掃体室19の間の略中央に位置するようにケース体15内に収容固定されている。
【００２２】
また、下部本体ケース12の連通管31の両側に位置して従動後輪58が回転自在に軸支された従動後輪室59、前部両端側には従動前輪60が回転自在に軸支された従動前輪室61が形成されている。
【００２３】
一方、第１の清掃体室18および第２の清掃体室19には、回転清掃体としての第１の回転ブレード63および第２の回転ブレード64がそれぞれ回転自在に配設されている。そして、第２の回転ブレード64は、例えばアルミニウム合金などにて周面に軸方向に時計回りにスパイラル状の溝部65を設けた心棒66を有し、この心棒66の溝部65に可撓性を有する例えば軟質塩化ビニル製の掃除体としての掻出手段であるブレード部67を複数、例えば４枚外周面に壁状に突出するようにスパイラル状に係合されている。なお、このブレード部67は、細長平板状の板部68の長手方向の一側縁が心棒66の溝部65に係合する台座部69を肉厚に形成して構成されている。
【００２４】
また、第１の回転ブレード63は、図１０および図１１に示すように、外周面に可撓性を有し一面に起毛70aを設けた掃除体としての床磨手段である布ブレード部71および可撓性を有する断面略Ｙ字状の掃除体としての掻出手段であるダブルブレード部72をスパイラル状に複数、例えば２枚ずつ交互に設けている。なお、布ブレード部71は、例えばポリエステル製で一面に起毛70aを設けた細長板状の起毛布70の長手方向の一側縁に軟質塩化ビニル製の台座部69を肉厚に形成して構成されている。また、ダブルブレード部72は、ブレード部67の板部68から板部68が枝別れしたように断面略Ｙ字状に形成されている。そして、布ブレード部71の心棒66から突出する長さ寸法は、ダブルブレード部72の心棒66から突出する長さ寸法より長く、被掃除面73が板の間場合には、布ブレード部71のみが板の間に接触して床磨きであるフローリング効果が得られる。
【００２５】
さらに、第１の回転ブレード63および第２の回転ブレード64の一端にはプーリ75が心棒66にそれぞれ一体的に設けられている。そして、第１の回転ブレード63および第２の回転ブレード64は、各プーリ75，75が第２の駆動伝達室24内に位置され、軸方向の両端に回転自在に設けられた軸部76，76がケース体15に設けられた軸受77，77にそれぞれ係合されて回転自在に支持されている。
【００２６】
なお、第１の回転ブレード63および第２の回転ブレード64は、外径寸法が第１の回転ブレード63の方が小径となるように形成され、下端が各第１の清掃体室18および第２の清掃体室19の下面の開口から僅かに下方に突出し、さらに、布ブレード部71の先端部のみ従動前輪60，60および従動後輪58，58とにて形成される接地面より下方に突出するように設けられている。
【００２７】
一方、第１の駆動伝達室22内には、駆動伝達手段である駆動変換手段79が配設されている。この駆動変換手段79は、図１、図４および図６に示すように、第１の駆動伝達室22の端部側に位置して配設される箱体80内に軸方向が上下方向に沿った略棒状の第１のシャフト81を回転自在に軸支している。そして、この第１のシャフト81の下端には、エアタービン36のエアタービンプーリ56とにて駆動伝達手段である第１の無端ベルト82aが掛け渡される第１のプーリ83が第１の駆動伝達室22に臨んで設けられ、上端には第１の傘歯車84aが設けられている。
【００２８】
さらに、箱体80内には、略棒状の第２のシャフト85および第３のシャフト86がケース体15の横長方向に沿って上下に略平行に回転自在に配設されている。そして、第２のシャフト85は、一端に第１のシャフト81の第１の傘歯車84aに係合する第２の傘歯車84bを設け、他端に第２の駆動伝達室24に臨んだ第２のプーリ87を設け、中間部より一端側に第１の歯車88aを設けている。また、第３のシャフト86の一端には、第２のシャフト85の第１の歯車88aに係合する第２の歯車88bが設けられ、他端には、第２の駆動伝達室24に臨んだ第３のプーリ89が設けられている。そして、第２のシャフト85の第２のプーリ87には、第１の回転ブレード63のプーリ75とにて駆動伝達手段である第２の無端ベルト82bが傾斜して掛け渡され、第３のシャフト86の第３のプーリ89には、第２の回転ブレード64のプーリ75とにて駆動伝達手段である第３の無端ベルト82cが略水平方向に掛け渡されている。
【００２９】
なお、第２のシャフト85の中心は、図５に示すように、第１の回転ブレード63および第２の回転ブレード64間の中間位置より第２の回転ブレード64側、すなわち、上方に位置する第２のシャフト85と、この第２のシャフト85に傾斜して掛け渡される第１の回転ブレード63との間の距離が長くなるように位置させる。また、第３のシャフト86は、この第３のシャフト86と略水平に掛け渡される第２の回転ブレード64に対して略水平方向に位置し、この第３のシャフト86および第２の回転ブレード64間の距離が短くなるように位置させる。
【００３０】
そして、エアタービン36の回転により第１の無端ベルト82aを介して第１のシャフト81が回転し、この回転により第１の傘歯車84aおよび第２の傘歯車84bを介して第２のシャフト85が回転する。この第２のシャフト85の回転により互いに噛み合う第１の歯車88aおよび第２の歯車88bにて、第３のシャフト86が第２のシャフト85に対して反対方向に回転し、第２の無端ベルト82bを介して第１の回転ブレード63は、吸込口本体11の前進方向に対して順方向に回転し、第２の回転ブレード64は、吸込口本体11の前進方向に対して逆回転、すなわち互いに内側に回転するようになっている。なお、第１の回転ブレード63は、布ブレード部71の起毛70側に向けて回転するようになっている。
【００３１】
また、下部本体ケース12の下面には、第１の清掃体室18および第２の清掃体室19の間で第１の吸込室20の下面に位置して下方に向けて開口するリーク口91が形成されている。さらに、リーク口91は、装置室21内に配設された床面検知手段92にて開閉される。
【００３２】
そして、床面検知手段92は、図１ないし図３および図１２ないし図１７に示すように、軸方向が吸込口本体11の左右方向に沿ってケース体15に一対設けられた支持部93，93にて回転自在に軸支された軸体部94を有している。また、軸体部94の略中央には、円弧状に彎曲する腕部95が一体的に設けられている。さらに、軸体部94の一端部の外周面には、外周方向に壁状に突出する爪部96が一体的に設けられている。また、軸体部94の他端部には、略板状の蓋体97の一縁側が一体的に設けられ、蓋体97の前側縁が回動自在の自由端となっており、リーク口91を開閉する。
【００３３】
さらに、軸体部94の一端部には、付勢手段であるコイルスプリング98が爪部96に係止されて装着され、蓋体97がリーク口91を開放する方向であるケース体15の下面から突出する方向に付勢されて、軸体部94が支持部93，93に回転自在に軸支されている。なお、付勢手段としては、板ばねやゴムなどの弾性部材などいずれのものでもできる。
【００３４】
そして、この蓋体97の下面には、車輪99が回転自在に軸支されている。そして、この車輪99は、図１に示すように、蓋体97がリーク口91を閉塞した状態ではケース体15の下面上に下端が位置し、図に示すように、従動後輪58および従動前輪60にて形成される面上に下端が位置する場合には、リーク口91が若干開口されるようになっている。
【００３５】
また、ケース体15内には、図８および図１５ないし図１７に示すように、腕部95に対応する位置に上下方向に球状体100を移動可能に支持する一面が開口する略筒状の案内部101が設けられ、この球状体100、案内部101および腕部95にて鎖錠手段102が構成されている。そして、案内部101内に腕部95が軸体部94の回転により進退自在に挿入可能で、腕部95は内径側に球状体100が係脱自在に彎曲形成されている。
【００３６】
次に、上記実施の形態の動作について説明する。
【００３７】
掃除を行う際、図示しない電気掃除機本体に延長管およびホースを介して吸込口本体11を接続し、ホースの延長管側の端部を把持しながら押動して、吸込口本体11を床面である被掃除面73に接触させながら前後に走行させる。
【００３８】
そして、電気掃除機本体の吸込力にて、吸気口43から吸気されるとともに第１の吸込口26および第２の吸込口27からも吸い込まれる。ところで、連通管31からの距離が第１の吸込口26より近い第２の吸込口27は、第２の清掃体室19内に開口するため第２の回転ブレード64にて風路抵抗が増大するとともに、第１の吸込口26の開口面積より小さい開口面積であるため、第１の吸込口26からの吸込力と第２の吸込口27からの吸込力とが同程度となる。
【００３９】
また、被掃除面として板の間73を掃除する場合には、図１に示すように、従動後輪58および従動前輪60が板の間73上に載置され、床面検知手段92の車輪99は板の間73上に接地し、床面検知手段92の蓋体97は、リーク口91を若干開口する状態に位置する。
【００４０】
そして、リーク口91は、吸気風路45が連通する第１の吸込室20の吸込風路33に開口するため、若干開口するリーク口91からも吸気され、第１の吸込口26および第２の吸込口27からの吸込量および吸気口43からの吸気量が減少する割合となる。したがって、吸気量が減少した吸込気流によりエアタービン36の回転速度は吸気量に比例して低下する。そして、この回転駆動力が第１の無端ベルト82aを介して駆動変換手段79に伝達され、この駆動変換手段79にて上下方向を軸とした回転駆動が水平方向を軸とした２つの回転駆動力に変換され、第２の無端ベルト82bおよび第３の無端ベルト82cを介して逆回転の第１の回転ブレード63および第２の回転ブレード64も吸気量に比例して回転速度が低下する。
【００４１】
さらに、第１の回転ブレード63および第２の回転ブレード64の低速での回転により被掃除面73から塵埃90を掻き出し、この掻き出された第１の清掃体室18および第２の清掃体室19内に位置する塵埃90は、弱い吸引力の第１の吸込口26および第２の吸込口27から吸い込まれる。なお、図１８に示すように、第１の吸込口26および第２の吸込口27から吸い込まれずに、スパイラル方向に移動すなわち第１の回転ブレード63および第２の回転ブレード64の布ブレード部71、ダブルブレード部72およびブレード部67にて案内された塵埃90は、案内される側の端部に位置して第１の清掃体室18と第２の清掃体室19と連通する連通凹部28を介して他方の第２の清掃体室19および第１の清掃体室18に導かれ、第２の吸込口27および第１の吸込口26から吸い込まれる。
【００４２】
また、走行方向の前側に位置する第１の回転ブレード63の布ブレード部71のみが板の間73と接触し、壁際まで板の間73上の塵埃90を掃き取るように掻き上げるとともに、壁際まで板の間73をフローリングする。
【００４３】
一方、被掃除面として絨毯73を掃除する場合には、図１３に示すように、従動後輪58および従動前輪60が絨毯に沈み込むようになり、床面検知手段92の車輪99は絨毯73の毛足にて付勢されるように持ち上げられ、床面検知手段92の蓋体97はリーク口91を閉塞する状態に位置する。
【００４４】
そして、連通管31からの吸込量に対する開口する割合が低減するため、第１の吸込口26および第２の吸込口27からの吸込量および吸気口43からの吸気量が増大する割合となる。したがって、吸気量が増大した吸込気流によりエアタービン36の回転速度は増大し、第１の回転ブレード63および第２の回転ブレード64の回転速度が増大する。
【００４５】
ところで、吸気口43は第１の吸込口26および第２の吸込口27より開口面積が小さく、吸気風路45中に風路抵抗となるエアタービン36が位置するので、第１の吸込口26および第２の吸込口27からほとんど吸い込めなくなることはなく、第１の吸込口26および第２の吸込口27からの吸込力が低下する程度である。そして、第１の回転ブレード63および第２の回転ブレード64の回転駆動により塵埃90が掻き取られるので吸い込みやすくなり、吸込力の低下による吸い残しはほとんど生じない。
【００４６】
ここで、家具などの移動などでホースを被掃除面73上に置いた際に吸込口本体11の下面が被掃除面73から離れたり、第１の吸込口26および第２の吸込口27に大きなものを吸い込んで閉塞させた場合や、第１の回転ブレード63および第２の回転ブレード64に糸ごみや髪の毛などが絡み付いた場合にこれらを取り除くため、吸込口本体11を被掃除面73から持ち上げた際には、図１４に示すように、コイルスプリング98の付勢および蓋体97の自重により、蓋体97がケース体15の下面から突出するように回動する。
【００４７】
この際、図１５に示す状態の鎖錠手段102の腕部95は、図１６に示すように、コイルスプリング98の付勢力や蓋体97、腕部95および球状体100の自重により、蓋体97の回動に伴って回転する軸体部94とともに案内部101から突出するように回動する。この際、球状体100は、自重により腕部95の回動に伴って腕部95の内径側に落ち込むように内径側に係合した状態が維持される。
【００４８】
そして、この蓋体97の回動により、リーク口91は大きく開口した状態に開放され、このリーク口91から吸気される一方、第１の吸込口26および第２の吸込口27からの吸込量と吸気口43からの吸込量とが大きく減少し、エアタービン36は回転速度が大きく低下あるいは停止して、第１の回転ブレード63および第２の回転ブレード64の回転速度も大きく低下あるいは停止する。
【００４９】
さらに、第１の吸込口26や第２の吸込口27に大きなものを吸い込んで閉塞させた場合や第１の回転ブレード63および第２の回転ブレード64に糸ごみや髪の毛などが絡み付いた場合にこれらを取り除くために吸込口本体11の下面が上方に向くように上下逆向きにした場合には、すでに吸込口本体11の下面が被掃除面73から離れているため、図１および図６に示すように、蓋体97は下方に突出してリーク口91が開放され、図８に示すように、鎖錠手段102の腕部95は球状体100を係合した状態で案内部101から突出するような状態となっているので、この状態から上下逆向きにされることになる。
【００５０】
そして、上下逆向きにより、図１７に示すように、腕部95に係合する球状体100が自重により案内部101内の腕部95の先端部と案内部101の内面との間に転げ落ち、腕部95が案内部101内に没入するように回動することがない。さらに、コイルスプリング98にて蓋体97がリーク口91を開放する方向に付勢しているため、蓋体91が上下逆向きにしてもリーク口91は閉塞されることはない。このため、リーク口91の大きく開口する開放状態は維持され、エアタービン36の回転速度が大きく低下あるいは停止し、第１の回転ブレード63および第２の回転ブレード64の回転速度も大きく低下あるいは停止した状態が維持される。
【００５１】
また、誤って蓋体97に触れてしまいケース体15内に向けて没入させる力を加えてしまっても、球状体100が腕部95の回動を規制しているので、簡単な構造で蓋体97が没入することはなく確実にリーク口91を開放させた状態に維持できる。
【００５２】
なお、第１の回転ブレード63および第２の回転ブレード64に絡み付いた糸ごみや髪の毛などを除去するために第１の回転ブレード63および第２の回転ブレード64を取り外す場合には、装着部を外して閉塞板29を取り外し、プーリ75が設けられていない側の軸部76を支点にしてプーリ75側を下方に移動させてプーリ75側の軸部76を軸受77から取り外し、第２の無端ベルト82bおよび第３の無端ベルト82cからプーリ75を外し、支点とした軸部76を軸受77から外すことにより取り外しできる。なお、組み付ける場合には反対の動作を行う。
【００５３】
上記実施の形態によれば、ケース体15の下面に吸気風路45に連通して開口するリーク口91を被掃除面73に接地する車輪99を設けた蓋体97にて開閉する床面検知手段92を設けたため、車輪99は被掃除面73の種類により接地状態が異なるので、被掃除面73に対応して吸気風路45が連通する吸込風路33に連通して開口するリーク口91の蓋体97による開閉状態が異なるため、簡単な構造で被掃除面73に対応して吸気口43から吸気風路45を介した吸込気流の風量を可変でき、この可変された吸込気流によりエアタービン36の回転を可変できるので、別途エアタービン36の回転数を可変する構成および可変操作が不要で、容易に被掃除面73に対応して効率よく掃除できる。
【００５４】
さらに、コイルスプリング98にて蓋体97を吸気風路45に連通して開口するリーク口91を開放する方向に付勢するため、吸込口本体11を持ち上げるなどの下面が被掃除面73から離れた際には確実にリーク口91を開放でき、第１の吸込口26および第２の吸込口27とは別個に開口する吸気口43からの吸込気流の風量を大きく低減でき、確実にエアタービン36の回転を停止または大きく低減でき第１の回転ブレード63および第２の回転ブレード64の回転を停止または大きく低減できる。
【００５５】
また、塵埃90を吸い込む第１の吸込口26および第２の吸込口27を吸気風路45のタービン室37から連通管31に至るエアタービン36の下流側に位置して開口したため、掃除時には被掃除面73にてケース体15の下面の負圧が得られ、吸気口43からの吸込気流により吸気風路45内に回転自在に設けたエアタービン36が効率よく回転して各回転ブレード63，64が回転して被掃除面73から塵埃90を掻き出して効率よく各吸込口26，27から吸い込み、各吸込口26，27が塵埃90を吸い込む吸込口として作用し、ケース体15を持ち上げるなどによりケース体15の下面が被掃除面73から所定の距離離れた際には、ケース体15の下面にエアタービン36の下流側の吸気風路45に位置して吸込風路33を介して開口する第１の吸込口26および直接開口する第２の吸込口27が開放されて吸気口43からの吸気量が大きく低減してエアタービン36の回転が停止またはさらに大きく低減し各回転ブレード63，64の回転が停止または大きく低減し、各吸込口26，27がリーク口91と同様に作用する。
【００５６】
このため、掻き出された塵埃90を負圧が確保された第１の吸込口26および第２の吸込口27から容易に吸い込め効率よく掃除ができるとともに、第１の吸込口26および第２の吸込口27に吸込口本体11を持ち上げた際にエアタービン36の回転が低減して各回転ブレード63，64の回転を低下させるリーク機能をも持たせたため、簡単な構造で塵埃90を吸い込む吸込口としての機能の双方が得られ、簡単な構造で容易に各回転ブレード63，64の回転をさらに低減でき、小型軽量化が容易に図れるとともに、各回転ブレード63，64の回転による風切り音をさらに低下できる。
【００５７】
さらに、吸気風路45が連通管31に連通する連通孔44より連通管31側の下流側に第２の吸込口27が開口するため、吸込口本体11を持ち上げた際に、第２の吸込口27からの吸込抵抗が吸気口43からタービン室37を介して連通孔44への吸気抵抗より小さく下流側に位置するため、第２の吸込口27がリーク口91と同様に作用して、容易に第２の吸込口27から吸気されるので、さらにエアタービン36の回転を低減でき、安全に各回転ブレード63，64の回転を低減できる。
【００５８】
また、時計回りにスパイラル状の第１の回転ブレード63および第２の回転ブレード64をスパイラル方向が逆方向となる反対方向の内側に向けた回転方向とし、第１の回転ブレード63および第２の回転ブレード64の回転した状態でのスパイラル方向側である両端部に連通凹部28を設け、第１の清掃体室18および第２の清掃体室19を連通させたため、第１の回転ブレード63および第２の回転ブレード64の布ブレード部71、ダブルブレード部72およびブレード部67にて第１の吸込口26および第２の吸込口27から離れる方向に移動された塵埃90は、連通凹部28を介して他方の第１の清掃体室18および第２の清掃体室19に導かれて第１の吸込口26および第２の吸込口27から吸い込まれる。このため、各清掃体室18，19内に塵埃90が吸い込まれずに残存することを防止でき、掃除性を向上できるとともに、吸込口本体11の下面の塵埃90による汚染を低減でき、保守管理の頻度も低減できる。
【００５９】
なお、連通凹部28が凹溝状であるため、管状物などにて筒状に形成した場合に比して塵埃90が引っ掛からず塵埃90の除去などの保守管理が容易にできる。なお、管状物にて連通させる構造などとしてもよい。
【００６０】
また、大きなトルクが得られるスクロール偏平型のエアタービン36の軸体52を第１の清掃体室18および第２の清掃体室19の間に位置させ、この軸体52を軸支する第２のベアリング49を第１の清掃体室18および第２の清掃体室19間に配設したため、エアタービン36が第１の清掃体室18および第２の清掃体室19上に重なる状態で位置するので、掃除性を向上させるべく複数、例えば２本の回転ブレード63，64を回転駆動させるのに必要な大きなトルクが得られるにもかかわらずエアタービン36を配設するための走行方向の前後の空間、および、軸受である第２のベアリング49を配設するための上下方向の空間を縮小でき、小型化が図れる。なお、エアタービンが36は、一端側に向けて拡開する整流板54を有しているため、この整流板54の拡開する側のスペースを利用して軸受である第１のベアリング47を配設でき、さらに小型化が図れる。
【００６１】
一方、第１の回転ブレード63に布ブレード部71を設けたため、壁際までフローリング効果が得られるとともに、布ブレード部71を設けたことにより減少するブレード部67による掻き出し効果をダブルブレード部72を設けることにより補ったため、吸込口本体11の前進および後退時の掻き出し効果を略同等とすることができ、掃除効率をさらに向上できる。
【００６２】
さらに、前側に位置する第１の回転ブレード63の外径を第２の回転ブレード64の外径より径小としたため、第１の回転ブレード63をケース体15内の最前部まで配設できるとともに、第１の回転ブレード63の被掃除面73と接触する位置と壁際との間の距離を短くでき、さらに壁際まで掃除できる。
【００６３】
また、第１の回転ブレード63に第２の無端ベルト82bを傾斜して掛け渡す第２のシャフト85を、第１の回転ブレード63および第２の回転ブレード64間の中間位置より第２の回転ブレード64側の距離が長くなる位置に配設し、第２の回転ブレード64に第３の無端ベルト82cを略水平方向に掛け渡す第３のシャフト86を、第１の回転ブレード63および第２の回転ブレード64間の中間位置より第２の回転ブレード64側の距離が短くなる位置に配設したため、第１の回転ブレード63および第２の回転ブレード64を取り外す際の回動による第１の清掃体室18および第２の清掃体室19の下面開口縁に第１の回転ブレード63および第２の回転ブレード64が当接して外しにくくなることを防止でき、容易に第１の回転ブレード63および第２の回転ブレード64を着脱できる。
【００６４】
さらに、エアタービン36の駆動を各回転ブレード63，64に伝達させる駆動伝達手段、すなわち第１の無端ベルト82aおよび駆動変換手段79を第１の清掃体室18および第２の清掃体室19間に吸込風路33と反対側に位置して隔離して配設したため、上下方向の寸法を縮小でき、さらに小型化が図れるとともに、吸込風路33とは隔離して駆動変換手段79を介して第２の無端ベルト82bおよび第３の無端ベルト82cにて第１の回転ブレード63および第２の回転ブレード64の端部に駆動を伝達させるため、吸い込んだ塵埃90にて駆動伝達手段である第１の無端ベルト82a、駆動変換手段79、第２の無端ベルト82bおよび第３の無端ベルト82cが汚染されず、保守管理が容易である。
【００６５】
また、スクロール偏位型のエアタービン36に渦巻き状に吸込気流を供給させる吸気供給風路42を走行方向の前側に位置する第１の清掃体室18に連通する第１の吸込口26からの吸込風路33と反対側に位置して形成したため、吸込風路33と吸気供給風路42とが重なることがなく、さらに小型化が図れる。
【００６６】
そして、この吸気供給風路42の吸気口43を連通管31が導出する側である後部に開口形成したため、掃除中に壁や家具、カーテンなどにて吸気口43が閉塞されず、効率よくエアタービン36を回転できるとともに、連通管31を軸支するためのスペースを有効利用してタービン室37に渦巻き状の吸込気流を容易に整流させつつ供給でき、エアタービン36の駆動トルクのさらなる向上および小型化が容易に図れる。
【００６７】
また、吸気口43をケース体15の略垂直面となる位置に開口形成したため、空気中の微細な塵埃90が吸込口本体11上に堆積することによる吸気口43の閉塞を防止でき、吸気効率の低減を抑制でき、効率よくエアタービン36を回転できる。
【００６８】
さらに、壁や家具、カーテンなどにて閉塞されない吸気口43からタービン室37内のエアタービン36に渦巻き状に吸込気流を供給させるべく、吸気供給風路42をタービン室37の前側に開口させて吸気口43から次第に幅狭となるように干渉機能を有したラッパ状に形成して連通させたため、簡単な構造でタービン室37に至る部分の次第に開口面積が小さくなる吸気供給風路42が吸込気流を整流させるとともに、エアタービン36の風切り音などを低減でき、騒音を低減できる。
【００６９】
なお、上記実施の形態において、別途吸気口43を設け、塵埃を吸い込む第１の吸込口26および第２の吸込口27から連通管31に連通する吸込風路33と別に吸気風路45を設け、この吸気風路45内にエアタービン36を配設して説明したが、第１の吸込口26および第２の吸込口27からの吸込気流によりエアタービン36を回転させるいずれの構造のものでもできる。
【００７０】
そして、キャニスタ型の電気掃除機に限らず、吸込口本体11が電気掃除機本体の下面に直接形成されたアップライト型、その他、電気掃除機本体と吸込口本体11とが一体化された自走式の電気掃除機などにも適用することができる。
【００７１】
また、床面検知手段92として、蓋体97などにて構成して説明したが、この構成に限らず、被掃除面73の種類を識別して吸気風路45を介した吸込気流の風量を可変するいずれの構成でもできる。
【００７２】
一方、回転清掃体としては、回転ブレード63，64の他に、起毛を壁状に設けた回転ブラシや、布ブレード部のみを設けたものなどいずれのものを用いてもよい。
【００７３】
さらに、回転清掃体として２本設けて説明したが、１本またはそれ以上設けても同様の効果が得られる。
【００７４】
【発明の効果】
請求項１記載の電気掃除機の吸込口体によれば、ケース体の下面に開口してエアタービンへの吸込気流の風量を低減させるリーク口を、被掃除面の種類に応じた接地状態の変化に対応して蓋体の回動量が可変することにより被掃除面の種類に応じて開口状態を可変することで吸込気流の風量を可変して、この可変された吸込気流によりエアタービンの回転を可変して、被掃除面に対応して回転清掃体の回転を可変して回転駆動させるため、簡単な構造で被掃除面に対応してエアタービンへの吸込気流の風量を容易に可変できるとともに、別途被掃除面に対応させて回転清掃体の回転数を可変する操作が不要で、被掃除面の種類を問わず回転数を可変した回転清掃体により効率よく掃除できる。また、付勢手段にてケース体の下面から下方に向けて蓋体を付勢するため、ケース体の下面が被掃除面から所定距離離間すると、付勢手段にて蓋体を付勢してリーク口を開放状態に維持でき、エアタービンへの吸込気流の風量が大きく低減してエアタービンの回転が停止または大きく低減し回転清掃体の回転が停止または大きく低減する状態を容易で確実に維持できる。
【図面の簡単な説明】
【図１】  本発明の電気掃除機の吸込口体の実施の一形態を示す側面断面図である。
【図２】  同上平面断面図である。
【図３】  同上正面断面図である。
【図４】  同上背面図である。
【図５】  同上吸込口本体の駆動変換手段近傍を示す一部を切り欠いた側面断面図である。
【図６】  同上一部を切り欠いた底面斜視図である。
【図７】  同上エアタービンを示す断面図である。
【図８】  同上底面図である。
【図９】  同上平面図である。
【図１０】  同上第１の回転ブレードを示す斜視図である。
【図１１】  同上断面図である。
【図１２】  同上床面検知手段を示す斜視図である。
【図１３】  同上吸込口本体の絨毯上に載置した状態を示す断面図である。
【図１４】  同上吸込口本体を持ち上げた状態を示す断面図である。
【図１５】  図１２に示す状態での床面検知手段の鎖錠手段を示す説明図である。
【図１６】  図１３に示す状態での床面検知手段の鎖錠手段を示す説明図である。
【図１７】  吸込口本体の上下逆向きの状態における床面検知手段の鎖錠手段を示す説明図である。
【図１８】  第１の回転ブレードの回転により塵埃が案内される状態を示す説明図である。
【符号の説明】
11    吸込口本体
15    ケース体
26    第１の吸込口
27    第２の吸込口
36    エアタービン
63    回転清掃体としての第１の回転ブレード
64    回転清掃体としての第２の回転ブレード
73    被掃除面
91    リーク口
92    床面検知手段
97    蓋体
98    付勢手段であるコイルスプリング
【図１】
0003835563.tif 000002
【図２】
0003835563.tif 000003
【図３】
0003835563.tif 000004
【図４】
0003835563.tif 000005
【図５】
0003835563.tif 000006
【図６】
0003835563.tif 000007
【図７】
0003835563.tif 000008
【図８】
0003835563.tif 000009
【図９】
0003835563.tif 000010
【図１０】
0003835563.tif 000011
【図１１】
0003835563.tif 000012
【図１２】
0003835563.tif 000013
【図１３】
0003835563.tif 000014
【図１４】
0003835563.tif 000015
【図１５】
0003835563.tif 000016
【図１６】
0003835563.tif 000017
【図１７】
0003835563.tif 000018
【図１８】
0003835563.tif 000019